(57)【要約】【課題】本発明は、視認性が高く消費電力を削減した表示を表示手段に行う。に関する。【解決手段】ＭＦＰ１は、入力画像データに対して施す画像調整内容の指定が操作表示部１０で行われると、画像処理部３で、入力画像データの色域を検出して、該入力画像データを取り込む入力デバイスにおける入力観察環境条件を該入力画像データから取得するとともに、出力画像を出力する出力デバイスにおける出力観察環境条件を取得し、指定された画像調整内容の画像調整を、該入力画像データに対して施して色信号に変換した画像を、操作表示部１０の複数の色光源毎に輝度を変更可能なディスプレイに表示するとともに、入力画像データの色域を検出して、該色域に基づいて該ディスプレイの該各色光源の輝度を個別に制御する。【選択図】          図１
2012109759.tif 000002
【特許請求の範囲】
【請求項１】
複数の色光源を有し画像を表示するとともに、該光源毎に輝度を変更可能な表示手段と、
入力画像データに対する画像調整内容を指定する操作手段と、
前記操作手段で指定された画像調整内容の画像調整を前記入力画像データに対して施す画像調整手段と、
前記入力画像データの色域を検出する色域検出手段と、
前記入力画像データを取り込む入力デバイスにおける入力観察環境条件を該入力画像データから取得するとともに、出力画像を出力する出力デバイスにおける出力観察環境条件を取得する特徴取得手段と、
前記入力画像データの色信号を、前記特徴取得手段の取得した前記入力観察環境条件と前記出力観察環境条件に基づいて、該画像データの画像を出力する出力デバイスに対応する色信号に変換する色変換手段と、
前記操作手段で画像調整内容が指定されると、前記画像調整手段が画像調整し前記色変換手段で色信号に変換された画像を前記表示手段に表示させるとともに、前記色域検出手段の検出した入力画像の色域に基づいて該表示手段の前記各色光源の輝度を個別に制御する表示制御手段と、
を備えていることを特徴とする画像処理装置。
【請求項２】
前記画像処理装置は、
前記入力観察環境条件から前記入力デバイスの色再現域である入力画像ガマットを生成する入力画像ガマット生成手段と、
前記出力観察環境条件から前記出力デバイスの色域である出力画像ガマットを生成する出力画像ガマット生成手段と、
を備え、
前記色変換手段は、
前記入力画像ガマットと前記出力画像がマットに基づいて、前記入力画像データの色信号を前記出力デバイスに対応する色信号に変換することを特徴とする請求項１記載の画像処理装置。
【請求項３】
前記画像処理装置は、
周囲の環境光の輝度を検出する環境光検出手段を備え、
前記特徴取得手段は、
前記環境光検出手段の検出する環境光の輝度を前記出力観察環境条件として取得し、
前記色変換手段は、
前記特徴取得手段の取得した前記環境光の輝度を含む前記出力観察環境条件または前記出力画像ガマットに基づいて、前記入力画像データの色信号を、前記出力デバイスの色信号に変換することを特徴とする請求項１または請求項２記載の画像処理装置。
【請求項４】
前記表示制御手段は、
前記画像調整手段による画像調整前の画像と画像調整後の画像を前記表示手段に同時に表示させることを特徴とする請求項１から請求項３のいずれかに記載の画像処理装置。
【請求項５】
前記色変換手段は、
前記操作手段の操作に応じて、前記画像調整手段が、前記画像調整内容として彩度を低下させる彩度低下画像調整を行うと、彩度未調整時の画像の色域に従って前記入力画像の色信号を変換し、該画像調整内容として彩度を上げる彩度上昇画像調整を行うと、最大彩度調整時の画像の色域に従って入力画像の色信号を変換することを特徴とする請求項１から請求項４のいずれかに記載の画像処理装置。
【請求項６】
前記特徴取得手段は、
前記入力画像の色域と前記操作手段で指定され前記画像調整手段で施す画像調整内容のうち少なくともいずれかに基づいて、該画像の入力観察環境条件と該画像の出力観察環境条件を設定することを特徴とする請求項１から請求項５のいずれかに記載の画像処理装置。
【請求項７】
前記画像処理装置は、
前記操作手段で指定された画像調整内容毎に該画像調整内容の画像調整値の調整履歴を記憶する画像調整履歴記憶手段を備え、
前記特徴取得手段は、
前記画像調整履歴記憶手段の前記調整履歴に基づいて前記出力観察環境条件を取得することを特徴とする請求項１から請求項６のいずれかに記載の画像処理装置。
【請求項８】
複数の色光源を有し、該光源毎に輝度を変更可能な表示手段に画像を表示する表示処理ステップと、
操作手段による入力画像データに対する画像調整内容の指定を取得する調整内容指定取得処理ステップと、
前記調整内容指定取得処理ステップで取得された画像調整内容の画像調整を前記入力画像データに対して施す画像調整処理ステップと、
前記入力画像データの色域を検出する色域検出処理ステップと、
前記入力画像データを取り込む入力デバイスにおける入力観察環境条件を該入力画像データから取得するとともに、出力画像を出力する出力デバイスにおける出力観察環境条件を取得する特徴取得処理ステップと、
前記入力画像データの色信号を、前記特徴取得処理ステップで取得された前記入力観察環境条件と前記出力観察環境条件に基づいて、該画像データの画像を出力する出力デバイスに対応する色信号に変換する色変換処理ステップと、
前記調整内容指定取得処理ステップで画像調整内容の指定が取得されると、前記画像調整処理ステップによって画像調整され前記色変換処理ステップで色信号に変換された画像を前記表示処理ステップで前記表示手段に表示させるとともに、前記色域検出処理ステップで検出された入力画像の色域に基づいて該表示手段の前記各色光源の輝度を個別に制御する表示制御処理ステップと、
を有していることを特徴とする表示制御方法。
【請求項９】
コンピュータに、
複数の色光源を有し、該光源毎に輝度を変更可能な表示手段に画像を表示する表示処理と、
操作手段による入力画像データに対する画像調整内容の指定を取得する調整内容指定取得処理と、
前記調整内容指定取得処理で取得された画像調整内容の画像調整を前記入力画像データに対して施す画像調整処理と、
前記入力画像データの色域を検出する色域検出処理と、
前記入力画像を取り込む入力デバイスにおける入力観察環境条件を該入力画像データから取得するとともに、出力画像を出力する出力デバイスにおける出力観察環境条件を取得する特徴取得処理と、
前記入力画像データの色信号を、前記特徴取得処理で取得された前記入力観察環境条件と前記出力観察環境条件に基づいて、該画像データの画像を出力する出力デバイスに対応する色信号に変換する色変換処理と、
前記調整内容指定取得処理で画像調整内容の指定が取得されると、前記画像調整処理によって画像調整され前記色変換処理で色信号に変換された画像を前記表示処理で前記表示手段に表示させるとともに、前記色域検出処理で検出された入力画像の色域に基づいて該表示手段の前記各色光源の輝度を個別に制御する表示制御処理と、
を実行させることを特徴とする表示制御プログラム。
【請求項１０】
請求項９記載の表示制御プログラムを記録したことを特徴とするコンピュータが読み取り可能な記録媒体。
【発明の詳細な説明】
【技術分野】
【０００１】
本発明は、画像処理装置、表示制御方法、表示制御プログラム及び記録媒体に関し、詳細には、視認性が高く消費電力を削減した表示を表示手段に行う画像処理装置、表示制御方法、表示制御プログラム及び記録媒体に関する。
【背景技術】
【０００２】
近年、環境問題やエネルギー資源の枯渇等の観点から省エネルギー（省電力）が要望されており、例えば、複合装置の操作表示部、携帯電話器の液晶表示画面等においては、省エネ（省電力、以下、省電力を、適宜、省エネという。）設定を行うことによって、通常の輝度よりも低い輝度に制限して、ディスプレイ表示を行うことで、省電力化が図られている。すなわち、表示部を備えた機器が、待機状態において所定の待ち時間が経過すると、省エネ状態に移行して、表示部の表示輝度を低下させたり、表示自体を停止させて無駄な電力消費を削減する。例えば、複合装置や携帯電話器等は、待機状態において、所定の待ち時間が経過したり、操作ボタンが押下されると、通常の輝度レベルより輝度を低下させることにより、また、プレビューに求められるニーズに応じて画面の照度を切り替えることにより、無駄な電力消費を削減することが行われている。
【０００３】
そして、従来、バックライトの設けられた液晶ディスプレイを有する電子機器において、アプリケーションの実行中に入力操作が不要な処理待ち状態を判別して、該処理待ち状態になると、２段階用意されているバックライトの輝度を、低輝度に切り替える電子機器が提案されている（特許文献１参照）。
【０００４】
また、従来、省電力モードと非省電力モードを備え、撮影した画像を表示するバックライト付き液晶ディスプレイを備えた撮像装置において、省電力モードに設定されると、バックライトの輝度を低減する撮像装置が提案されている（特許文献２参照）。
【０００５】
すなわち、こられの従来技術は、液晶ディスプレイのバックライトの輝度を単に低下させることで、消費電力の削減を図っている。
【発明の概要】
【発明が解決しようとする課題】
【０００６】
しかしながら、上記従来技術にあっては、消費電力を削減させるために、液晶ディスプレイのバックライトの輝度を単に低下させているのみであるため、輝度を低下させることで消費電力を削減することはできるが、輝度の低下によって表示内容の視認性が低下し、利用性を向上させる上で、改良の必要があった。
【０００７】
そこで、本発明は、表示内容の視認性の低下を抑制しつつ、表示による消費電力を削減する画像処理装置、表示制御方法、表示制御プログラム及び記録媒体を提供することを目的としている。
【課題を解決するための手段】
【０００８】
本発明は、上記目的を達成するために、入力画像データに対して施す画像調整内容の指定があると、入力画像データの色域を検出して、入力画像を取り込む入力デバイスにおける入力観察環境条件を前記入力画像データから取得するとともに、出力画像を出力する出力デバイスにおける出力観察環境条件を取得し、指定された画像調整内容の画像調整を前記入力画像データに対して施して色信号に変換した画像を、複数の色光源毎に輝度を変更可能な表示手段に表示するとともに、入力画像データの色域を検出して、該色域に基づいて該表示手段の該各色光源の輝度を個別に制御することを特徴としている。
【０００９】
また、本発明は、前記入力観察環境条件から前記入力デバイスの色再現域である入力画像ガマットを生成し、前記出力観察環境条件から前記出力デバイスの色域である出力画像ガマットを生成して、該入力画像ガマットと該出力画像がマットに基づいて、前記入力画像データの色信号を前記出力デバイスに対応する色信号に変換することを特徴としてもよい。
【００１０】
さらに、本発明は、周辺の環境光の輝度を検出して、前記出力観察環境条件として取得し、該環境光の輝度を含む該出力観察環境条件または前記出力画像ガマットに基づいて、前記入力画像データの色信号を、前記出力デバイスの色信号に変換することを特徴としてもよい。
【００１１】
また、本発明は、前記画像調整前の画像と画像調整後の画像を前記表示手段に同時に表示させることを特徴としてもよい。
【発明の効果】
【００１２】
本発明によれば、表示内容の視認性の低下を抑制しつつ、表示による消費電力を削減することができる。
【図面の簡単な説明】
【００１３】
【図１】本発明の第１実施例を適用したＭＦＰのブロック構成図。
【図２】操作表示部のディスプレイの画像プレビュー時における表示画面の一例を示す図。
【図３】調整ノッチ表示領域に表示する彩度調整用のノッチパネルの表示例を示す図。
【図４】画像処理部のブロック構成図。
【図５】第２色変換処理部のブロック構成図。
【図６】順応輝度Ｌａを変化させた場合の明度Ｊと彩度Ｃの関係を示す図。
【図７】光源の相違による明度Ｊと彩度Ｃの関係を示す図。
【図８】入出力デバイスの観察環境条件を変更して色再現域を合わせる前と合わせた後の明度Ｊと彩度Ｃの関係を示す図。
【図９】ディスプレイのＬＥＤ光源のＧ高原の中心は町を変化させた場合の光の強さν’と振動数ｕ’の変化を示す図。
【図１０】初期状態のディスプレイの色再現域と表示領域の関係を示す図。
【図１１】光源の輝度のみを下げたときの色再現域と表示領域の関係を示す図。
【図１２】各校源を独立してコントロール指定路再現域を表示領域に合わせた状態の図。
【図１３】第２実施例のＭＦＰのブロック構成図。
【図１４】第２色変換処理部と輝度検出部のブロック構成図。
【図１５】第３実施例のＭＦＰのブロック構成図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図１２は、本発明の画像処理装置、表示制御方法、表示制御プログラム及び記録媒体の一実施例を示す図であり、図１は、本発明の画像処理装置、表示制御方法、表示制御プログラム及び記録媒体の第１実施例を適用したＭＦＰ（Multi Functional Products：複合装置）１のブロック構成図である。
【００１６】
図１において、ＭＦＰ１は、読み取り部２、画像処理部３、バス制御部４、ＨＤＤ（ハードディスク）５、ＣＰＵ（Central Processing Unit ）６、メモリ７、プロッタＩ／Ｆ部８、プロッタ部９、操作表示部１０、回線Ｉ／Ｆ部１１、外部Ｉ／Ｆ部１２、ＳＢ（サウスブリッジ）１３及びＲＯＭ（Read Only Memory）１４等を備えている。
【００１７】
読み取り部２は、例えば、ＣＣＤ(Charge Coupled Device）を利用したラインイメージセンサ、アナログ／デジタル（Ａ／Ｄ）変換回路及びこれらを駆動する駆動回路等を備えており、一般的にＡＤＦを備えている。ＡＤＦには、複数枚の原稿がセットされ、ＡＤＦは、セットされた原稿を１枚ずつ読み取り部２の原稿読み取り位置に送給する。読み取り部２は、ＡＤＦから搬送されてきた原稿を主走査及び副走査して原稿の濃淡情報から画像を所定の解像度で読み取って、ＲＧＢ（赤（Ｒ）、緑（Ｇ）、青（Ｂ））各所定ビット（例えば、各８ビット）の画像データを生成して画像処理部３に出力する。なお、読み取り部２は、ＣＣＤを用いたものに限るものではなく、例えば、ＣＩＳ（Contact Image Sensor：密着イメージセンサ）やＣＭＯＳ（Complementary Metal Oxide Semiconductor ）を用いたもの等であってもよい。
【００１８】
画像処理部３は、読み取り部２からのデジタル画像データ、外部Ｉ／Ｆ部１２を介して外部装置ＧＳから送られてきた画像データ及び外部Ｉ／Ｆ部１２を介して外部メディアＧＭから取り込んだ画像データに対して、予め定められている特性に統一する処理を施す。この画像処理部３の統一する特性は、画像データをＭＦＰ１内部に蓄積して、再利用する場合に出力先の変更に適した特性であり、その詳細については後述する。また、画像処理部３は、画像データに対して、画像の調整・加工やユーザから指定される出力先に適した画像処理を施す。
【００１９】
バス制御部４は、ＭＦＰ１内で必要な画像データや制御コマンド等の各種データのやり取りを行うデータバスの制御を司り、複数種のバス規格間のブリッジ機能も有している。バス制御部４は、本実施例のＭＦＰ１では、画像処理部３及びＣＰＵ６とはＰＣＩ（Peripheral Component Interconnect）−Expressバスで接続し、ＨＤＤ５とはＡＴＡバスで接続して、ＡＳＩＣ（Application Specific Integrated Circuit）化されている。
【００２０】
第２画像データ処理部５は、画像処理部３で予め定められた特性に統一されたデジタルの画像データ及び回線Ｉ／Ｆ部１１や外部Ｉ／Ｆ部１２を通じて入力される画像データに対して、画像の調整・加工やユーザから指定される出力先に適した画像処理を施す。
【００２１】
ＨＤＤ５は、通常のパーソナルコンピュータ等にも用いられている大容量記憶装置のハードディスクであり、主にデジタルの画像データ及び該画像データの付帯情報（画像関連情報）を蓄積する。また、本実施例のＨＤＤ５は、ＩＤＥ（Integrated Development Environment）を拡張して規格化されているＡＴＡバス接続のハードディスクが用いられている。なお、大容量の記憶装置としては、ＨＤＤ５に限るものではなく、例えば、近年大容量化してきているフラッシュメモリを用いたシリコンディスク等を用いてもよい。そして、このＨＤＤ５は、画像データを蓄積するとともに、該画像データに関するデータ関連情報（例えば、使用者、ファイル名、ページ数、ファイルサイズ、蓄積日時等）等を蓄積する。
【００２２】
ＣＰＵ６は、ＭＦＰ１全体の制御を行うマイクロプロセッサであり、本実施例では、ＣＰＵコア単体に+αの機能を追加したIntegrated ＣＰＵが使用されている。このIntegrated ＣＰＵは、汎用規格Ｉ／Ｆとの接続機能やクロスバースイッチを使用したこれらバス接続機能がインテグレートされたＣＰＵである。
【００２３】
メモリ７は、複数種のバス規格間をブリッジする際の速度差や接続された部品自体の処理速度差を吸収するために、一時的にやり取りするデータの記憶やＣＰＵ６がＭＦＰ１の制御を行う際に、プログラムや中間処理データを一時的に記憶する揮発性メモリである。ＣＰＵ６には高速処理が求められるため、通常起動時にＲＯＭ１４に記憶されたブートプログラムによってシステムを起動し、その後は高速にアクセス可能なメモリ７に展開されたプログラムによって処理を行う。本実施例のＭＦＰ１では、メモリ７として、規格化されパーソナルコンピュータに使用されているＤＩＭＭが使用されている。
【００２４】
プロッタＩ／Ｆ部８は、ＣＰＵ６にインテグレートされた汎用規格Ｉ／Ｆ経由で送られてくるＣＭＹＫからなるデジタル画像データを受け取ると、該画像データをプロッタ部９の専用Ｉ／Ｆに出力するバスブリッジ処理を行い、この汎用規格Ｉ／Ｆとしては、ＰＣＩ−Expressバスが用いられている。
【００２５】
プロッタ部（出力デバイス）９は、ＣＭＹＫからなるデジタル画像データを受け取ると、レーザビームを用いた電子写真プロセスによって、記録材に該画像データの画像を記録出力する。プロッタ部９は、その画像形成プロセスが電子写真プロセスに限るものではなく、任意の画像形成プロセスであってよく、例えば、インク噴射プロセスであってもよい。
【００２６】
ＳＢ１３は、パーソナルコンピュータに使用されるチップセットのひとつであり、サウスブリッジ（South Bridge）と呼ばれる汎用の電子デバイスである。ＳＢ１３は、主にＰＣＩ−Expressである汎用規格の拡張バス１５とＩＳＡ（Industrial Standard Architecture）ブリッジを含むＣＰＵシステムを構築する際によく使用されるバスのブリッジ機能を汎用回路化したものであり、ＲＯＭ１４との間をブリッジしている。
【００２７】
ＲＯＭ１４は、ＭＦＰ１の基本プログラム及び後述する本発明の表示制御方法を実行する表示制御プログラム等のプログラム及び必要なシステムデータが格納されており、ＣＰＵ６が、該ＲＯＭ１４内のプログラムに基づいて上記メモリ７をワークメモリとして利用しつつ、ＭＦＰ１の各部を制御して、ＭＦＰ１の基本動作制御及び後述する表示制御処理を実行する。
【００２８】
操作表示部（操作手段）１０は、ユーザへのインターフェイスを行う部分であって、複数の色校源を有して画像を表示するとともに個別に輝度を変更可能なディスプレイ１０Ｄ（図２参照）、例えば、ＲＧＢ（Ｒ：レッド、Ｇ：グリーン、Ｂ：ブルー）それぞれ独立のＬＥＤ（Light Emitting Diode）光源を有するＬＥＤ液晶及びキースイッチ等を備えている。操作表示部１０は、ＰＣＩ−Expressバスである拡張バス１５を介してＣＰＵ６と接続されており、ＣＰＵ６の制御下で、ＭＦＰ１の各種状態や操作方法をディスプレイ（表示手段、出力デバイス）１０Ｄに表示し、また、ユーザからのキースイッチ入力操作を検知する。操作表示部１０のディスプレイ１０Ｄは、複数の色（例えば、ＲＧＢ）のＬＥＤ光源を有し、個別に輝度調整が可能となっている。ディスプレイ１０Ｄは、画像調整プレビュー表示時の表示例を、図２に示すように、画像調整プレビュー表示時には、その表示領域を、入力画像表示領域１０ＩＶ、出力画像表示領域１０ＳＶ、調整項目表示領域ＣＶ及び調整ノッチ表示領域ＮＶに分割して表示し、調整項目表示領域ＣＶには、例えば、変倍、濃度調整、カラー調整、カラー変換、コントラスト調整、彩度調整、白黒反転、指定色消去等の画像加工条件を表示して、ユーザによる選択を可能とする。ディスプレイ１０Ｄは、調整ノッチ表示領域ＮＶには、調整項目表示領域ＣＶの調整項目のうち調整レベルを有する調整項目が選択されたときに、調整レベル分のノッチパネルを表示し、調整レベルがない調整項目が選択されたときには、該調整項目を適用するか否かの情報のみを表示する。例えば、ディスプレイ１０Ｄは、調整項目表示領域ＣＶに表示する調整項目のうち彩度調整が選択されると、調整ノッチ表示領域ＮＶに、デフォルト状態を基準に彩度を高い方向と低い方向にそれぞれ複数段階、例えば、図３に示すように、２段階の幅で調整可能なノッチパネルを表示し、調整項目表示領域ＣＶに表示する調整項目のうち白黒反転が選択されると、反転するか否かの選択肢しかないため、例えば、「ＯＮ」、「ＯＦＦ」を選択するパネルを表示する。そして、ＭＦＰ１は、操作表示部１０で画像調整の指示操作があると、ディスプレイ１０Ｄに、入力画像と調整後の画像を表示して、画像調整をディスプレイ１０Ｄの画像を確認しながら行えるようにする。そして、ディスプレイ１０Ｄは、タッチパネル付きディスプレイであってもよく、この場合、ディスプレイ１０Ｄに表示される機能ボタンに対応する位置のタッチパネルをタッチ操作することで、該機能ボタンに割り付けられている機能を指示操作することができる。
【００２９】
回線Ｉ／Ｆ部１１は、ＰＣＩ−Expressバスである拡張バス１５と電話回線を接続し、ＭＦＰ１の電話回線を介した各種データのやり取り、例えば、外部のファクシミリ装置（出力デバイス）ＦＸとのファクシミリ通信を可能とし、外部のファクシミリ装置ＦＸとの間で、画像データの入出力を行う。
【００３０】
外部Ｉ／Ｆ部１２は、ＰＣＩ−Expressバスである拡張バス１５と外部装置ＧＳやＳＤ（Secure Digital）カード等の外部メディアＧＭを接続し、外部装置ＧＳや外部メディアＧＭと各種データのやり取りを行う。外部Ｉ／Ｆ部１２は、例えば、イーサネット（登録商標）等のネットワークに接続され、該ネットワーク上の外部装置ＧＳと接続されて、該外部装置ＧＳとの間で画像データの入出力を行う。
【００３１】
外部装置（出力デバイス）ＧＳは、例えば、パーソナルコンピュータ等であり、ユーザは、パーソナルコンピュータ等の外部装置ＧＳにインストールされているアプリケーションソフトやドライバを利用して、外部Ｉ／Ｆ部１２を介して、ＭＦＰ１の各種制御や画像データの入出力を行うことができる。
【００３２】
上記画像処理部３は、図４に示すようにブロック構成されており、入力γ補正部２１、フィルタ処理部２２、第１色変換処理部２３、画像加工処理部２４、第２色変換処理部２５、墨処理部２６及び階調処理部２７等を備えている。
【００３３】
入力γ補正部２１は、読み取り部２から入力されるデジタル化された入力画像データをγ変換して反射率を基にした反射率リニア特性から予め定められた特性、例えば、γ＝２．２の濃度リニアにγ特性を変換する。
【００３４】
フィルタ処理部２２は、γ補正された入力画像データに所定のフィルタ処理を施し、読み取り部２の有しているＭＴＦ（Modulation Transfer Function）特性等の特性を予め定められた特性に補正する。特に、フィルタ処理部２２は、操作表示部１０で指定された解像度に変倍処理を行って、次に、変倍された画像に対してフィルタ処理を行うことで、文字部の強調処理、あるいは、絵柄部の平滑化処理等の任意のフィルタ処理を行う。
【００３５】
第１色変換処理部２３は、フィルタ処理部２２から入力される読み取り部２の色空間のＲＧＢ画像データに対して、例えば、ＡｄｏｂｅＲＧＢ、ｓＲＧＢ等デバイス非依存の色空間へ変換する。
【００３６】
画像加工処理部（画像調整手段）２４は、第１色変換処理部２３から入力されるデバイス非依存のＲＧＢ画像に対して、操作表示部１０で指示された画像処理内容の画像加工処理を行う。例えば、画像加工処理部２４は、彩度を上げる、カラーバランスを調整する、コントラストを調整する、全体を濃くする、薄くする、特定の色を別の色に置き換える、拡大縮小等のユーザが操作表示部１０で設定した設定項目に従って画像の調整を行う。
【００３７】
第２色変換処理部（色域検出手段、特徴取得手段、色変換手段、表示制御手段）２５は、ユーザの出力条件に応じてガマットマッピングを行う。例えば、第２色変換処理部２５は、コピー出力、プリンタ出力を行う場合は、ＲＧＢ入力に対してＣＭＹＫの色変換を行い、読み取り部２で読み取った原稿の画像データを外部装置ＧＳ等に配信する配信スキャンの場合は、ＲＧＢ→Ｒ’Ｇ’Ｂ’の操作表示部１０のディスプレイ１０Ｄに対応する色空間へ変換する。また、第２色変換処理部２５は、操作表示部１０の表示条件や環境条件に応じても、ガマットマッピングする。例えば、操作表示部１０のディスプレイ１０Ｄに画像をプレビュー表示の場合、ディスプレイ１０Ｄの表示中の絶対輝度と入力画像の特性に応じてＲＧＢ→Ｒ”Ｇ”Ｂ”の色変換を行うが、詳細については、後述する。
【００３８】
墨処理部２６は、第２色変換処理部２５からＣＭＹのプロセスカラーが入力された場合ＭＩＮ（ＣＭＹ）をＫに置き換える等の処理を行い、第２色変換処理部２５からＲＧＢが入力された場合、特に処理は行わない。
【００３９】
階調処理部２７は、墨処理部２６からの入力画像データがＣＭＹＫの場合、該入力画像データに対してγ処理行って、入出力特性を変更し、γ処理後の画像データに対してプロッタ出力用にディザや誤差拡散等のハーフトーン処理を行う。また、階調処理部２７は、墨処理部２６からの入力画像データがＲＧＢの場合は、特にγ変換、ハーフトーン処理を行わないが、用途に応じて変換を行ってもよい。
【００４０】
そして、図４の第２色変換処理部２５は、図５に示すようにブロック構成されており、色空間変換部３１、入力画像検出部３２、入力画像ガマット情報部３３、ガマット圧縮部３４、入力画像環境条件部３５、観察環境条件決定部３６、出力デバイス観察条件部３７、特徴検出部３８、表示輝度操作部３９、出力デバイスガマット情報部４０及び色空間変換部４１等を備えている。なお、ガマットとは、入力デバイス及び出力デバイス（ディスプレイ、印刷、プリンタ等）それぞれの領域である色再現域や表示域を表すものである。
【００４１】
色空間変換部３１には、画像加工処理部２４で処理されたＲＧＢ画像データが入力され、色空間変換部３１は、ＲＧＢ入力画像データをＣＩＥＣＡＭ９７ｓの明度Ｊ、彩度Ｃ、色相Ｈに変換して入力画像検出部３２及びガマット圧縮部３４に出力する。
【００４２】
ガマット圧縮部３４は、色空間変換部の変換したデータＪＣＨのそのままの信号ではＣＭＹで再現することができないためできないため、後述するように、入力ＪＣＨ信号をＣＭＹ出力用のＪ’Ｃ’Ｈ’信号に変換して色空間変換部４１に出力する。
【００４３】
色空間変換部４１は、ガマット圧縮部３４からの入力信号Ｊ’Ｃ’Ｈ’を出力信号ＣＭＹに変換する。また、色空間変換部４１は、出力デバイスがＲＧＢ信号を入力とする場合には、ＪＣＨ→ＲＧＢ変換を行い、ＲＧＢ信号を出力する。これら色空間変換部３１、ガマット圧縮部３４及び色空間変換部４１は、全体として、色変換手段として機能している。
【００４４】
入力画像検出部（色域検出手段、入力画像ガマット生成手段）３２は、色空間変換部３１から入力されるＪＣＨ信号を基に、入力画像のガマット情報（入力画像の色域：色再現域）を検出して、入力画像ガマット情報部３３に記憶させる。
【００４５】
特徴検出部（出力画像ガマット生成手段）３８は、出力デバイスの特性と該出力デバイスの特性を観察する複数の観察条件下におけるガマット情報の特徴検出を行って、観察環境条件決定部３６に渡す。
【００４６】
観察環境条件決定部３６は、特徴検出部３８から渡されたガマット情報の特徴検出に基づいて、入力画像の出力に適応した観察条件をそれぞれについて決定し、入力画像観察条件部３５及び出力デバイス観察条件部３７に記憶する。上記入力画像検察条件部３５及び出力デバイス観察条件部３７は、ＲＡＭ（Random Access Memory）等で構成されている。上記特徴検出部３８及び観察環境条件決定部３６は、全体として特徴取得手段として機能している。
【００４７】
そして、色空間変換部３１は、観察環境条件決定部３６が決定して入力画像観察条件部３５に記憶した観察条件に基づいてＲＧＢ画像をＪＣＨに変換して、ガマット圧縮部３４に入力し、出力デバイス観察条件部３７の出力デバイスのガマット情報を、出力デバイスガマット情報部４０に記憶して、出力デバイス環境条件部３７における出力デバイスのガマット情報を記憶する出力デバイスガマット情報部４０の該ガマット情報を参照しながら、出力デバイスの色再現範囲内の色信号Ｊ’Ｃ’Ｈ’にガマットマッピングを行って、色空間変換部４１へ出力する。
【００４８】
そして、上記入力画像検出部３２は、入力ＲＧＢデータに対するＪＣＨを演算し、代表の色相Ｈと明度Ｊに対応した最大彩度値を記述したデータテーブルとして、画像入力の際に入力画像ガマット情報部３３に記憶する。
【００４９】
色空間変換部３１は、ＲＧＢからＪＣＨの変換を、ＩＥＣ６１９６６−２−１で標準化されている変換式に従ってＲＧＢからＸＹＺへ変換し、ＣＩＥ  ＴＣ８−０１で標準化されている変換式を用いてＸＹＺからＪＣＨへ変換する。色空間変換部３１は、入力ＲＧＢがｓＲＧＢ以外の場合には、それぞれの色特性に合わせて色変換を行う。
【００５０】
特徴検出部３８は、入力画像ガマット情報部３３と出力デバイスの出力デバイスガマット情報部４０にある複数の観察環境条件下におけるガマット情報の最大及び最小明度点と代表色相、明度毎の最大彩度点を抽出して、各代表色相、明度毎の最大彩度点を抽出し、各代表色相毎にガマットの面積差を算出して、観察環境条件決定部３６に出力する。
【００５１】
観察環境条件決定部３６は、入力画像と出力デバイスの各代表色相面のガマットの面積差を算出し、全空間における面積の差が最も小さい入力画像と出力デバイスの観察条件を決定する。観察環境条件決定部３６は、上記観察条件を、例えば、ΔＥwhiteを、入出力デバイス間の最大明度点の色差、ΔＥblackを、入出力デバイス間の最小明度点の色差、ΔＥhiを、入出力デバイス間の色相ｉにおける最大彩度点の色差とし、α、β、γiをそれぞれ定数としたとき、次式（１）において、Erが最小となるものを選択することで決定する。
【００５２】
Er=ΔEwhite×α+ΔEblack×β+ΔＥΣhi×γi・・・（１）
表示輝度操作部（表示制御手段）３９は、入力画像ガマット情報部３３の入力画像ガマットと出力デバイスガマット情報部４０の出力デバイスガマットに基づいて、ディスプレイ１０ＤのＲＧＢ光源の出力バランスを、ディスプレイ１０Ｄのデバイスとしての許容範囲内でコントロールして、出力デバイス観察条件部３７に出力する。特に、表示輝度操作部３９は、後述するように、入力画像ガマット情報部３３の入力画像ガマット情報のうち、最外郭点とディスプレイ１０ＤのＲＧＢ各光源の定める最外郭点同士の色相差が、ディスプレイ１０Ｄの出力デバイスとしての許容範囲内であった場合に、ＲＧＢ光源の最外郭点を入力画像に近づける方向へＲＧＢ各光源の輝度バランスを変更する。
【００５３】
そして、本実施例のＭＦＰ１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の表示制御方法を実行する表示制御プログラムを読み込んでＲＯＭ１４やハードディスク５に導入することで、後述する操作表示部１０のディスプレイ１０Ｄの表示を視認性を保ちつつ省電力化して制御する表示制御方法を実行するディスプレイ１０Ｄを有する操作表示部１０を備えたＭＦＰ１として構築されている。この表示制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００５４】
次に、本実施例の作用について説明する。本実施例のＭＦＰ１は、少なくとも操作表示部１０のディスプレイ１０Ｄの表示輝度を下げる省電力モードにおいて、表示画像の視認性を向上させつつ省電力化を向上させる。
【００５５】
すなわち、ＭＦＰ１は、コピーモード、配信モード、ファクシミリモード、プリンタモード等の種々の動作モードを有しているが、動作することなく待機している待機状態が所定の待ち時間経過すると、主要各部への電力供給の停止や供給電力電圧の低下を行う省電力モードを備えており、この省電力モードとしては、省電力効率を向上させるために、種々の仕組みが組み込まれている。例えば、ＭＦＰ１は、コンピュータやファクシミリ装置等にネットワークや電話回線等によって接続された状態となっていて、上記各種動作モードの機能を常に利用できる状態となっているが、待機電力を消費するために、待機時の消費電力をより一層抑制することが要望されている。なお、以下の説明では、コピーモードについて説明するが、コピーモードに限るものではなく、他のモードにおいても同様に適用することができる。
【００５６】
そして、本実施例のＭＦＰ１は、省電力モードに移行すると、操作表示部１０のディスプレイ１０Ｄの輝度を、例えば、操作表示部１０の操作に支障のない程度の所定の順応輝度Lwaitに下げた状態で待機し、この省電力モードで待機している状態で、ユーザが操作表示部１０の操作でコピーモードを選択した場合、コピーモード動作を可能な状態に各部を復帰させるが、操作表示部１０のディスプレイ１０Ｄの順応輝度Lwaitについては、変更することなく、そのままコピーモード動作を実行する。
【００５７】
一方、ＭＦＰ１は、コピーモードの機能として、コピー出力前にコピー出力結果をディスプレイ１０Ｄに表示して事前に確認するプレビュー機能を有しており、操作表示部１０によって画像調整が設定操作されると、図２に示したように、ディスプレイ１０Ｄの表示領域を、入力画像表示領域１０ＩＶ、出力画像表示領域１０ＳＶ、調整項目表示領域ＣＶ及び調整ノッチ表示領域ＮＶに分割して表示して、画像調整前後の画像を認識性を向上させた状態でディスプレイ１０Ｄに表示するとともに、輝度調整を行う。
【００５８】
この場合、ＭＦＰ１は、ディスプレイ１０Ｄの調整項目表示領域ＣＶには、上述のように、例えば、変倍、濃度調整、カラー調整、カラー変換、コントラスト調整、彩度調整、白黒反転、指定色消去等画像加工指定条件を表示して、操作部１０による選択操作を可能とする。また、ＭＦＰ１は、調整ノッチ表示領域ＮＶには、調整項目表示領域ＣＶの調整項目のうち調整レベルを有する調整項目の調整レベル分のノッチパネルを表示し、調整レベルの無い調整項目については、適用するか否かのみを表示する。
【００５９】
さらに、ＭＦＰ１は、入力画像表示領域１０ＩＶに、画像調整前の入力画像を表示する。すなわち、ＭＦＰ１は、画像調整前の入力画像を入力画像表示領域１０ＩＶに表示するために、入力γ補正部２１及びフィルタ処理部２２で各補正を行い、第１色変換処理部２３でプレビュー出力用に操作表示部１０のディスプレイ１０Ｄの色空間、例えば、ｓＲＧＢに変換する。次に、ＭＦＰ１は、画像加工処理部２４では、特に加工を行わず、第２色変換処理部２５で所定のガマット圧縮を行ってＲＧＢデータとし、墨処理部２６及び階調処理部２７では特に処理を行わず、入力されたＲＧＢデータをそのまま入力画像表示領域１０ＩＶに出力する。
【００６０】
また、ＭＦＰ１は、出力画像表示領域１０ＳＶには、操作表示部１０で画像調整の設定操作が行われないときには、何も表示しないが、１つの画像調整項目に対してであっても画像調整の設定操作が行われて、画像調整処理を行うと、設定操作された画像調整を入力画像に反映させた出力画像を表示させる。すなわち、ＭＦＰ１は、上記入力画像に対して、画像加工処理部２４で画像加工した画像を、第２色変換処理部２５で出力デバイスであるディスプレイ１０Ｄに応じた色空間への変換処理を行って、ディスプレイ１０Ｄの出力画像表示領域１０ＳＶに表示させる。
【００６１】
そして、上記第２色変換処理部２５における出力デバイスの環境条件の設定としては、画像調整を行わない画像を入力画像表示領域１０ＩＶにのみ表示する場合には、第２色変換処理部２５は、上述のように、入力画像のガマットに応じて出力デバイスであるディスプレイ１０ＤのＲＧＢ光源（ＬＥＤ光源）の制御を行って画像を表示させるが、画像調整を行った画像を出力画像表示領域１０ＳＶに表示する場合には、入力画像表示領域１０ＩＶと出力画像表示領域１０ＳＶの出力デバイスガマット情報と出力デバイス観察条件を、それぞれ出力デバイスガマット情報部４０と出力デバイス観察条件部３７に保持するとともに、入力画像ガマット情報と入力画像環境条件を入力画像ガマット情報部３３と入力画像環境条件部３５に保持して、出力デバイスガマットがより広くなる方の観察条件を、ディスプレイ１０Ｄの入力画像表示領域１０ＩＶと出力画像表示領域１０ＳＶに適用する。このようにすると、観察条件が変わっても画像調整前後における画像間の観察条件を同じにすることができ、画像調整前後の画像の差異を適切に比較することができる。
【００６２】
また、ＭＦＰ１は、ディスプレイ１０Ｄの調整ノッチ表示領域ＮＶには、上述のように、調整項目に調整レベルがある場合には、調整項目の調整レベル分のノッチパネルを表示し、例えば、彩度調整の場合、図３に示したように、センターノッチに対して、低彩度と高彩度に２ノッチずつ有するノッチパネルを表示する。この彩度調整は、それぞれの調整ノッチ毎に規定のパラメータを有しており、このパラメータの組み合わせのうち、最も出力がマットを大きく取る必要のパラメータを入力画像に適用した入力画像ガマット情報部３３の入力画像ガマット情報に基づいて、特徴検出部３８が、出力デバイス観察条件を決定して出力デバイス観察条件部３７に記憶する。なお、特徴検出部３８は、彩度調整の場合、上述のように彩度を高める処理では、高輝度部分が最もガマットが拡大するので、直接、高輝度部分のパラメータのみを参照して、出力デバイス観察条件を決定してもよく、また、彩度を下げる処理では、ガマットはセンターノッチよりも縮小する傾向にあるため、センターノッチの画像加工を行わない状態の入力画像を基準に、出力デバイスのガマット情報を決定してもよい。
【００６３】
そして、ＭＦＰ１は、操作表示部１０で画像調整が設定操作されると、画像加工処理部２４で画像加工した画像を、第２色変換処理部２５で、入力ガマットと出力ガマットに応じて色空間の変換処理を行って、ディスプレイ１０Ｄに表示する。
【００６４】
この場合、第２色変換処理部２５は、ユーザによって出力設定された出力条件に応じて、出力ガマットのガマットマッピングを行う。例えば、設定された出力条件が、コピー出力でプロッタ部９への画像出力である場合、ＲＧＢの入力画像に対して、ＣＭＹＫへの色変換処理を行い、外部装置ＧＳへの配信出力である場合、ＲＧＢ入力画像を、Ｒ’Ｇ’Ｂ’への色変換処理（ＲＧＢ→Ｒ’Ｇ’Ｂ’）を行う。
【００６５】
そして、第２色変換処理部２５は、ディスプレイ１０Ｄへの画像表示を行う場合、表示条件や環境条件に応じて、例えば、ディスプレイ１０Ｄの表示中の絶対輝度と入力画像の特性に応じて、ガマットマッピングを行い、ＲＧＢ→Ｒ”Ｇ”Ｂ”の色変換処理を行う。
【００６６】
具体的には、第２色変換処理部２５の色空間変換部３１が、画像加工処理部２４の処理したＲＧＢ入力画像データを、ＣＩＥＣＡＭ９７ｓの明度Ｊ、彩度Ｃ、色相Ｈ（ＪＣＨデータ）に変換して入力画像検出部３２及びガマット圧縮部３４に出力し、ガマット圧縮部３４が、色空間変換部の変換したデータＪＣＨのそのままの信号ではＣＭＹで再現することができないためできないため、入力ＪＣＨ信号をＣＭＹ出力用のＪ’Ｃ’Ｈ’信号に変換して色空間変換部４１に出力する。色空間変換部４１は、ガマット圧縮部３４からの入力信号Ｊ’Ｃ’Ｈ’を出力信号ＣＭＹに変換し、また、出力デバイスがＲＧＢ信号を入力とする場合、すなわち、ディスプレイ１０Ｄに表示出力する場合には、ＪＣＨ→ＲＧＢ変換を行って、ＲＧＢ信号を出力する。
【００６７】
入力画像検出部３２は、色空間変換部３１で生成されたＪＣＨ信号を基に入力画像のガマット情報を検出し、入力画像ガマット情報部３３に記憶すると同時に、出力デバイスの特性と出力デバイスで出力された画像（例えば、プロッタ部９で印刷出力された画像、ディスプレイ１０Ｄに表示出力された画像等）を観察する複数の観察条件下におけるガマット情報の特徴検出を行って、観察環境条件決定部３６において、入力画像の出力に適応した観察条件をそれぞれについて決定して、入力画像観察条件部３５、出力デバイス観察条件部３７に記憶する。
【００６８】
ガマット圧縮部３４は、入力画像観察条件部３５の決定した観察条件に基づいて色空間変換部３１で変換された入力色信号ＪＣＨが入力され、該入力信号ＪＣＨを、出力デバイス環境条件部３７に記憶され出力デバイスガマット情報部４０に保管された出力デバイスの出力デバイスガマット情報を参照しながら、出力デバイスの色再現範囲内の色信号J’Ｃ’Ｈ’にガマットマッピングを行って、色空間変換部４１へ出力する。色空間変換部４１は、上述のように、ガマット圧縮部３４からの入力信号Ｊ’Ｃ’Ｈ’を出力信号ＣＭＹに変換し、また、出力デバイスがＲＧＢ信号を入力とする場合、すなわち、ディスプレイ１０Ｄに表示出力する場合には、ＪＣＨ→ＲＧＢ変換を行って、ＲＧＢ信号を出力する。
【００６９】
そして、上述のように、入力画像検出部３２は、入力ＲＧＢデータに対するＪＣＨを演算して入力画像のガマット情報を検出して、ガマット代表の色相Ｈと明度Ｊに対応した最大彩度値を記述したデータテーブルとして入力画像ガマット情報部３３に記憶する。特徴検出部３８は、入力画像ガマット情報部３３と出力デバイスの出力デバイスガマット情報部４０に記憶されている複数の観察環境条件下におけるガマット情報の最大明度点及び最小明度点と代表色相、明度毎の最大彩度点を抽出して、各代表色相、明度毎の最大彩度点を抽出し、各代表色相毎にガマットの面積差を算出して、観察環境条件決定部３６に送る。観察環境条件決定部３６は、入力画像と出力デバイスにおける各代表色相面のガマットの面積差を算出し、全空間における面積の差が最も小さい入力画像と出力デバイスの観察条件を決定する。この場合、観察環境条件決定部３６は、上記式（１）を用いて観察条件を決定する。
【００７０】
そして、観察環境条件決定部３６が調整できる観察環境条件については、ＣＩＥ  ＴＣ８−０１で標準化されているＸＹＺ→ＪＣＨ変換における観察環境に関する条件として順応輝度Ｌａがあり、観察環境条件の値が変わると、人の視覚に対する画像の知覚量が変化し、入出力デバイスの色再現域が変化する。この観察環境条件の設定によって、例えば、順応輝度Ｌａが高くなると、図６に示すように、明度Ｊと彩度Ｃが変化して、色相が変わること無く、鮮やかに知覚されることとなり、ダイナミックレンジが広がる傾向になる。すなわち、知覚量が増える程、画像を認識しやすくなることを意味しているが、出力デバイス、例えば、操作表示部１０のディスプレイ１０Ｄには、表示輝度の上限があり、出力デバイスの上限以上の表現を行うことができない。
【００７１】
また、例えば、図７に示すように、光源Ａと光源Ｂがあり、これらの光源Ａ、Ｂの色相Ｈを変化させた場合、色相Ｈの変化によって、彩度Ｃが失われて知覚されたり、鮮やかに知覚されたりする。
【００７２】
そこで、本実施例のＭＦＰ１は、第２色変換処理部２５が、観察環境条件を変更し、図８に示すように、入出力デバイス双方の色再現域を合わせた上で色圧縮を行うことで、入出力デバイス双方の色再現域を活用して、色の連続性に優れ、階調つぶれや濃度変化が目立たない自然な色再現を行う。
【００７３】
すなわち、表示輝度操作部３９によって、ディスプレイ１０ＤのＲＧＢ光源の出力バランスを、ディスプレイ１０Ｄの出力デバイスとしての許容範囲内でコントロールすると、例えば、図９に示すように、振動数νと光の強さＵが変化して、色度が変化する。
【００７４】
そして、表示輝度操作部３９は、入力画像ガマット情報部３３の入力画像ガマット情報のうち、最外郭点とディスプレイ１０ＤのＲＧＢ各光源の定める最外郭点同士の色相差が、ディスプレイ１０Ｄのデバイスとしての許容範囲内であった場合に、ＲＧＢ光源の最外郭点を入力画像に近づける方向へＲＧＢ各光源の輝度バランスを変更する。
【００７５】
例えば、図１０に示すように、ディスプレイ１０Ｄの色再現域が、実線で示すように初期状態で定義されている場合、画像を表示するために使用する表示域は、一点鎖線で示すようになり、表示域を示す三角形が小さいほど消費電力が少なくなる。通常の光源では、輝度を下げると、図１１に示すように、実線で示す色再現域の三角形が、形を維持してそのまま縮小した形になり、ぎりぎり一点鎖線で示す表示域をカバーする状態に輝度を下げることができる。
【００７６】
一方、本実施例のＭＦＰ１のディスプレイ１０Ｄは、ＲＧＢそれぞれが独立したＬＥＤ光源であり、それぞれＬＥＤ光源を独立してコントロールすることができる。したがって、ディスプレイ１０Ｄは、ＬＥＤ光源を独立してコントロールすることで、図１２に示すように、色再現域を示す三角形の形状をある程度変更、例えば、色再現域を表示域の形状に合わせることができ、より小さな表示域で画像を表示することができる。その結果、ディスプレイ１０Ｄは、輝度を下げても適切な視認性を確保することができ、消費電力を削減することができる。
【００７７】
この場合、ガマットの包含率（入力画像ガマットに対する出力デバイスのガマットの包含率）が下がらないことを、設定値を決定する条件とする。
【００７８】
すなわち、出力デバイスであるディスプレイ１０Ｄのガマット形状が入力画像のガマット形状を効率良く包含するように設定すると、少ない輝度で画像のガマット範囲を再現でき、ディスプレイ１０ＤのＲＧＢ光源全体としての消費電力効率を上げることができるとともに、ガマット圧縮による誤差も低減することができる。
【００７９】
そして、第２色変換処理部２５は、輝度バランスを変更した場合、その出力環境条件の順応輝度Ｌledaと、ＲＧＢ独立光源を変更したことによって再定義された白色点Ｘled、Ｙled、Ｚledを、出力デバイス観察条件部３７の出力デバイス観察環境条件に反映させて、出力デバイスガマット情報部４０の出力デバイスのガマット情報を更新する。また、白色点（Viewing White Point）においても、ＴＣ８−０１で標準化されているＸＹＺ→ＪＣＨ変換における観察環境に関する条件として存在する。
【００８０】
そこで、第２色変換処理部２５は、ＴＣ８−０１で標準化されているカラーアピアランスモデルに従って、入力デバイス、出力デバイスそれぞれの順応輝度Ｌａと白色点Ｘ、Ｙ、Ｚをパラメータとして、入力デバイスの観察条件下でのＸＹＺ値を出力デバイスであるディスプレイ１０Ｄ上での見た目が変わらないようにＸＹＺ値に変換する出力デバイス環境条件を設定する。
【００８１】
このように、ディスプレイ１０Ｄの独立したＲＧＢのＬＥＤ光源を変更しただけの場合、輝度や白の定義が変わることから、色の見え方が変わってしまうが、入力デバイスの環境条件と出力デバイス（ディスプレイ１０Ｄ）の環境条件を紐付けて、実際の見え方が変わってしまった分を補正することで、見た目を同じにすることができ、画像の視認性を向上させることができる。
【００８２】
また、第２色変換処理部２５は、出力デバイスであるディスプレイ１０Ｄのガマット情報（色再現域）が変化すると、入力デバイスのＲＧＢを出力デバイスのＲＧＢへマッピングするためのパラメータが変わるため、画像を正しく表示させるために、出力デバイスのガマット情報を更新している。すなわち、ＸＹＺ→ＪＣＨ→Ｘ’Ｙ’Ｚ’に変換している。
【００８３】
このように、表示輝度操作部３９によってディスプレイ１０ＤのＲＧＢのＬＥＤ光源をそれぞれ独立してコントロールすることによって、人が画像の見えに対して順応する特性から画像と表示データの相対関係が崩れないことを利用して、画像調整による画像変化をディスプレイ１０Ｄにプレビューする場合の省電力を実現する。
【００８４】
そして、上記観察条件については、画像調整項目毎に該画像調整項目の特徴に応じた観察条件を設定してもよい。
【００８５】
この場合、観察環境条件決定部３６は、入力画像と出力デバイスの各代表色相面におけるガマットの面積差を算出し、全空間における面積の差が最も小さい入力画像と出力デバイスの観察条件を決定する。観察環境条件決定部３６は、上記式（１）を用いて、Ｅｒが最小となる観察条件を決定するが、この場合、通常上記α、β、γiは、規定の定数を用いるが、プレビュー時は画像調整機能毎に個別に設定することで、ユーザが操作表示部１０の操作で要求する画像調整項目の特徴に応じた観察条件を決定する。例えば、彩度調整時は、彩度方向に画像が調整されたかどうかの変化がわかりやすいことが要求されるため、入力画像のガマット情報に含まれる色相ｉの感度を上げるように定数γiを設定する。この場合、入力画像の画素頻度に応じて重み付け係数である定数γiの値を設定するようにしてもよい。例えば、入力画像全体を１０×１０ｐｘ等の区分で分けて見たときの画素頻度が表示画面全体に対して一定割合を超えた場合、彩度調整による効果を期待する画素であると判定すると、有効画素の該当する色相ｉの定数γiの値を増加させる。なお、このように適応的な重み付けを行うように定数γiを調整する場合、α+β+Σγiの総和が一定で、かつ、α、βに上下限値を遵守するように設定すると、特定の色相領域だけが知覚しやすくなるような表示になることを防止することができる。彩度調整以外にもカラーバランスのような色相調整を行う画像調整系に対しても、上記同様に適用することができる。
【００８６】
また、コントラスト調整のような比較的明度のレンジに対する依存度の高い調整系の場合は、定数α、βに重みを置くように定数α、β、γiを設定することで濃淡のメリハリを知覚しやすい表示を行うことができる。
【００８７】
なお、定数γiの設定については、元々の色の知覚度によって重み付けするようにしてもよい。例えば、ＭａｃＡｄａｍの楕円の例に示されるように、緑色はＲＧＢの変化、すなわち、ＲＧＢの変化に対応するＸＹＺの変化に対して色の差を感じる量は小さく、青色の色の差を感じる量は大きいというように色相毎によって人間に知覚しやすさの程度が異なるため、知覚度に応じて定数γiを設定すると、上記同様の効果を得ることができる。また、画像調整項目を同時に複数種類使用して画像調整する場合には、例えば、それぞれの調整項目を独立に利用した場合に設定される係数α、β、γiの平均値または和を係数に用いる。すなわち、コントラスト調整時の定数をα'、β'、γi'、彩度調整時の定数をα”、β”、γi”とすると、α=α'+α”、β=β'+β”、γi=γi' +γi”とする。
【００８８】
このように、本実施例のＭＦＰ１は、入力画像データに対して施す画像調整内容の指定が操作表示部１０で行われると、入力画像データの色域を入力画像検出部（色域検出手段）３２で検出して、入力画像ガマット情報部３３、特徴検出部３８及び観察環境条件決定部３８によって入力画像を取り込む入力デバイスにおける入力観察環境条件を前記入力画像データから取得するとともに、特徴検出部３８、出力デバイスガマット情報部４０及び観察環境条件決定部３６によって出力画像を出力する出力デバイスにおける出力観察環境条件を取得し、指定された画像調整内容の画像調整を、色空間変換部３１、ガマット圧縮部３４及び色空間変換部４１によって前記入力画像データに対して施して色信号に変換した画像を、複数の色光源毎に輝度を変更可能なディスプレイ１０Ｄに表示するとともに、入力画像データの色域を検出して、該色域に基づいて該ディスプレイ１０Ｄの該各色光源の輝度を個別に制御している。
【００８９】
したがって、入力画像の色域に応じてディスプレイ１０Ｄの各ＬＥＤ光源の輝度を独立して変更して、表示輝度を下げることができるとともに、そのときの環境条件に従って色変換することで、画像の視認性を低下させることなく、消費電力を削減することができる。
【００９０】
また、本実施例のＭＦＰ１は、入力画像検出部３２が、前記入力観察環境条件から入力デバイスの色再現域である入力画像ガマットを生成し、特徴検出部３８等が、前記出力観察環境条件からディスプレイ１０Ｄの色域である出力画像ガマットを生成して、色空間変換部３１、ガマット圧縮部３４及び色空間変換部４１が、該入力画像ガマットと該出力画像がマットに基づいて、前記入力画像データの色信号をディスプレイ１０Ｄに対応する色信号に変換している。
【００９１】
したがって、ＣＩＥ  ＴＣ８−０１で標準化されている手法を用いて入力画像ガマットと出力画像ガマットを生成して、入力画像データの色信号をディスプレイ１０Ｄに対応する色信号に変換することができ、簡単かつ容易に色信号を生成して、安価かつ容易に、表示内容の視認性の低下を抑制しつつ、表示による消費電力を削減することができる。
【００９２】
さらに、本実施例のＭＦＰ１は、画像加工処理部（画像調整手段）２４による画像調整前の画像と画像調整後の画像を、ディスプレイ１０Ｄの入力画像表示領域１０ＩＶと出力画像表示領域ＳＶに同時に表示させている。
【００９３】
したがって、画像の視認性を低下させることなく、画像調整前後の画像を適切に確認することができるとともに、消費電力を削減することができる。
【００９４】
また、本実施例のＭＦＰ１は、操作表示部１０の操作に応じて、画像加工処理部２４が、画像調整内容として彩度を低下させる彩度低下画像調整を行うと、彩度未調整時の画像の色域に従って前記入力画像の色信号を変換し、該画像調整内容として彩度を上げる彩度上昇画像調整を行うと、最大彩度調整時の画像の色域に従って入力画像の色信号を変換している。
【００９５】
したがって、画像処理として彩度調整が操作表示部１０で操作されたときに、高速に観察条件を反映した画像をディスプレイ１０Ｄに表示することができる。
【００９６】
さらに、本実施例のＭＦＰ１は、特徴検出部３８が、入力画像の色域と操作表示部１０で指定された画像調整内容のうち少なくともいずれかに基づいて、該画像の入力観察環境条件と該画像の出力観察環境条件を設定している。
【００９７】
したがって、画像調整前の入力画像と画像調整後の画像の相違を、より明確に知覚できるように、ディスプレイ１０Ｄに画像を表示することができる。
【実施例２】
【００９８】
図１３及び図１４は、本発明の画像処理装置、表示制御方法、表示制御プログラム及び記録媒体の第２実施例を示す図であり、図１３は、本発明の画像処理装置、表示制御方法、表示制御プログラム及び記録媒体の第２一実施例を適用したＭＦＰ５０のブロック構成図である。
【００９９】
なお、本実施例は、上記第１実施例のＭＦＰ１と同様のＭＦＰ５０に適用したものであり、本実施例の説明において、第１実施例のＭＦＰ１と同様の構成部分には、同一の符号を付して、その説明を省略または簡略化する。
【０１００】
図１３において、ＭＦＰ５０は、第１実施例のＭＦＰ１と同様の読み取り部２、画像処理部３、バス制御部４、ハードディスク５、ＣＰＵ６、メモリ７、プロッタＩ／Ｆ部８、プロッタ部９、操作表示部１０、回線Ｉ／Ｆ部１１、外部Ｉ／Ｆ部１２、ＳＢ１３、ＲＯＭ１４及び拡張バス１５等を備えているとともに、輝度検出部５１を備えており、輝度検出部５１は、拡張バス１５に接続されている。
【０１０１】
輝度検出部（環境光検出手段）５１は、ＭＦＰ１の周囲の環境光、特に、ディスプレイ１０Ｄの周囲の環境光を検出して、画像処理部３に出力する。
【０１０２】
そして、この輝度検出部５１の検出した環境光は、図１４に示すように、画像処理部３の第２色変換処理部２５の出力デバイス観察条件部３７に出力デバイス観察条件の１つとして入力される。
【０１０３】
出力デバイス観察条件部３７は、環境光を加えた出力デバイス環境条件を出力デバイスガマット情報部４０に渡し、表示輝度操作部３９は、出力デバイスガマット情報部４０の環境光を加えた出力デバイスガマットに基づいてディスプレイ１０Ｄの表示輝度の設定を行う。
【０１０４】
すなわち、第１実施例のＭＦＰ１は、例えば、コピー出力において、画像調整が操作表示部１０で設定操作されると、環境光が標準光源Ｄ５０であることを前提として、出力デバイス観察条件部３７に順応輝度Ｌd５０をベースに出力デバイスガマット情報部４０に出力デバイスガマットを設定している。
【０１０５】
ところが、本実施例のＭＦＰ５０は、環境光が標準光源Ｄ５０よりも暗い状態、例えば、暗室の状態であって、かつ、省電力状態である場合、この環境光を輝度検出部５１で検出して、出力デバイス観察条件部３７の出力デバイス観察条件の１つに設定し、出力デバイス観察条件部３７が、環境光を加えた出力デバイス環境条件を出力デバイスガマット情報部４０に渡して、表示輝度操作部３９が、出力デバイスガマット情報部４０の環境光を加えた出力デバイスガマットに基づいてディスプレイ１０Ｄの表示輝度の設定を行う。したがって、例えば、暗室の状態であって、かつ、省電力状態であっても、プレビュー表示時に表示輝度を適切に確保して、プレビュー画像を適切に知覚できるようにすることができ、画像調整を適切に行うことができる。
【０１０６】
このように、本実施例のＭＦＰ５０は、周囲の環境光の輝度を検出する輝度検出部（環境光検出手段）５１を備えており、特徴検出部３８が、該輝度検出部５１の検出する環境光の輝度を出力観察環境条件として取得して、色空間変換部４１が、該環境光の輝度を含む出力観察環境条件または出力画像ガマットに基づいて、入力画像データの色信号を、ディスプレイ１０Ｄの色信号に変換している。
【０１０７】
したがって、環境光の影響を取り込んだ画像をディスプレイ１０Ｄに表示することができ、画像の視認性をより一層向上させつつ、消費電力を適切に削減することができる。
【実施例３】
【０１０８】
図１５は、本発明の画像処理装置、表示制御方法、表示制御プログラム及び記録媒体の第３実施例を適用したＭＦＰ６０のブロック構成図である。
【０１０９】
なお、本実施例は、上記第１実施例のＭＦＰ１と同様のＭＦＰ６０に適用したものであり、本実施例の説明において、第１実施例のＭＦＰ１と同様の構成部分には、同一の符号を付して、その説明を省略または簡略化する。
【０１１０】
図１５において、ＭＦＰ６０は、第１実施例のＭＦＰ１と同様の読み取り部２、画像処理部３、バス制御部４、ハードディスク５、ＣＰＵ６、メモリ７、プロッタＩ／Ｆ部８、プロッタ部９、操作表示部１０、回線Ｉ／Ｆ部１１、外部Ｉ／Ｆ部１２、ＳＢ１３、ＲＯＭ１４及び拡張バス１５等を備えているとともに、画像調整機能仕様履歴記憶部６１を備えており、画像調整機能仕様履歴記憶部６１は、拡張バス１５に接続されている。
【０１１１】
画像調整機能仕様履歴記憶部（画像調整履歴記憶手段）６１は、プレビュー時の画像調整項目の使用履歴、すなわち、ユーザがプレビュー時に利用した画像調整項目の使用頻度と該当する画像調整項目の調整ノッチ表示領域ＮＶのノッチ調整ボタンを押下した間隔を記録する。
【０１１２】
そして、ＭＦＰ６０は、画像調整機能仕様履歴記憶部６１に記憶されている画像調整機能仕様履歴の使用頻度が一定回数以上になった画像調整機能については、そのノッチ調整ボタンを押下した間隔の平均値AVE(N)を算出し、この平均値AVE(N)を基準に輝度レベルを下げる。すなわち、平均値AVE(N)は、ユーザがプレビュー画像を閲覧して画像の良し悪しを判断して、次の微調整のために後調整ボタンを操作するまでの時間であり、この平均値AVE(N)値が大きい場合というのは、出力デバイスであるディスプレイ１０Ｄの表示輝度を下げてもそれに順応するまでの時間的猶予があることになる。したがって、順応するまでの時間的猶予があることから、通常使用時よりも多少輝度を下げても、下がっている輝度に対して順応するだけの時間があることになり、視認性を確保しつつ消費電力を削減することができる。
【０１１３】
例えば、操作表示部１０の観察条件としての順応輝度をＬ４とすると、平均値AVE(N)に応じて、（１−AVE(N）／ｔ）＊１００％（ｔは定数）に低減する。具体的には、ＭＦＰ６０は、平均値AVE(N)が４秒、ｔ＝１００であると、表示輝度を、Ｌ４の９６％の輝度に変更する。すなわち、ＭＦＰ６０は、Ｌ４’＝Ｌ４＊０．９６であるが、このＬ４’を出力デバイス観察条件部３７の出力デバイス観察条件に適用し、出力デバイスのガマット情報を生成して出力デバイスガマット４０に渡す。したがって、ユーザがノッチ調整する間隔に応じて、輝度をさらに下げることができ、適切な視認性を確保しつつ、消費電力をより一層削減することができる。
【０１１４】
このように、本実施例のＭＦＰ６０は、操作表示部１０で指定された画像調整内容毎に該画像調整内容の画像調整値の調整履歴を画像調整機能仕様履歴記憶部（画像調整履歴記憶手段）６１に記憶し、特徴検出部３８が、画像調整機能仕様履歴記憶部６１の調整履歴に基づいて出力観察環境条件を取得している。
【０１１５】
したがって、適切な視認性を確保しつつ、消費電力をより一層削減することができる。
【０１１６】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【０１１７】
本発明は、表示部に画像を表示するファクシミリ装置、プリンタ装置、複合装置、携帯電話装置等の画像処理装置、表示制御方法、表示制御プログラム及び記録媒体に利用することができる。
【符号の説明】
【０１１８】
１  ＭＦＰ
２  読み取り部
３  画像処理部
４  バス制御部
５  ＨＤＤ（ハードディスク）  ６  ＣＰＵ
７  メモリ
８  プロッタＩ／Ｆ部
９  プロッタ部
１０  操作表示部
１０Ｄ  ディスプレイ
１０ＩＶ  入力画像表示領域
１０ＳＶ  出力画像表示領域
ＣＶ  調整項目表示領域
ＮＶ  調整ノッチ表示領域
１１  回線Ｉ／Ｆ部
１２  外部Ｉ／Ｆ部
１３  ＳＢ（サウスブリッジ）
１４  ＲＯＭ
１５  拡張バス
ＦＸ  ファクシミリ装置
ＧＳ  外部装置
ＧＭ  外部メディア
２１  入力γ補正部
２２  フィルタ処理部
２３  第１色変換処理部
２４  画像加工処理部
２５  第２色変換処理部
２６  墨処理部
２７  階調処理部
３１  色空間変換部
３２  入力画像検出部
３３  入力画像ガマット情報部
３４  ガマット圧縮部
３５  入力画像環境条件部
３６  観察環境条件決定部
３７  出力デバイス観察条件部
３８  特徴検出部
３９  表示輝度操作部
４０  出力デバイスガマット情報部
４１  色空間変換部
５０  ＭＦＰ
５１  輝度検出部
６０  ＭＦＰ
６１  画像調整機能仕様履歴記憶部
【先行技術文献】
【特許文献】
【０１１９】
【特許文献１】特開平１１−１２６１１８号公報
【特許文献２】特開２００５−１３００３４号公報
【図１】
2012109759.tif 000003
【図２】
2012109759.tif 000004
【図３】
2012109759.tif 000005
【図４】
2012109759.tif 000006
【図５】
2012109759.tif 000007
【図６】
2012109759.tif 000008
【図７】
2012109759.tif 000009
【図８】
2012109759.tif 000010
【図９】
2012109759.tif 000011
【図１０】
2012109759.tif 000012
【図１１】
2012109759.tif 000013
【図１２】
2012109759.tif 000014
【図１３】
2012109759.tif 000015
【図１４】
2012109759.tif 000016
【図１５】
2012109759.tif 000017